(57)【要約】【課題】制御を簡単にし、コストダウンを図ったダクト型の空気調和機を提供する。【解決手段】能力可変型圧縮機２ａの能力について、吹出口８の総合計数に対応した能力を最大能力として、開いているダンパ９に対応する吹出口８の各々の合計数に対応する能力を設定した能力割合テーブルを有し、運転する際に、開いているダンパに対応する吹出口の合計数に応じて能力割合テーブルから能力可変型圧縮機の能力を決定し運転する。【選択図】図２
2013200089.tif 000002
【特許請求の範囲】
【請求項１】
能力可変型圧縮機と、該能力可変型圧縮機を備えた室外機と、該室外機に接続された室内機と、該室内機と複数の被空調室に設けた吹出口との間に接続された複数のダクトと、コントローラとを備え、前記ダクトに前記ダクトの通路を開閉するダンパが設けられ、前記コントローラにより前記能力可変型圧縮機、前記室内機、前記ダクトが制御されるようにした空気調和機において、
前記能力可変型圧縮機の能力について、全ての前記被空調室の前記吹出口の合計数に対応した能力を最大能力として、開いているダンパに対応する吹出口の合計数に対応する能力を設定した能力割合テーブルが前記コントローラに格納され、
前記能力可変型圧縮機を運転する際に、前記開いているダンパに対応する吹出口の合計数に応じて、前記能力割合テーブルに基づいて前記能力可変型圧縮機の能力を決定し運転することを特徴とする空気調和機。
【請求項２】
請求項１に記載の空気調和機において、
前記能力割合テーブルには、前記開いているダンパに対応する吹出口の合計数が所定数以下の場合に、前記能力可変型圧縮機の能力が最低能力として設定されていることを特徴とする空気調和機。
【請求項３】
能力可変型圧縮機と、該能力可変型圧縮機を備えた室外機と、該室外機に接続された室内機と、該室内機と複数の被空調室に設けた吹出口との間に接続された複数のダクトと、コントローラとを備え、前記ダクトは、前記複数の被空調室のうちの所定数の被空調室に対応し且つ通路を開閉するダンパを備えたダクトと前記複数の被空調室のうちの残りの被空調室に対応し且つ前記ダンパを備えていないダクトからなり、前記コントローラにより前記能力可変型圧縮機、前記室内機、前記ダクトが制御されるようにした空気調和機において、
前記能力可変型圧縮機の能力について、全ての前記被空調室の前記吹出口の合計数に対応した能力を最大能力として、開いているダンパに対応する吹出口の各々の合計数に、前記ダンパを有しないダクトに対応する吹出口の合計数を加算した合計数に対応する能力を設定した能力割合テーブルが前記コントローラに格納され、
前記能力可変型圧縮機を運転する際、前記開いているダンパに対応する吹出口の合計数に前記ダンパを有しないダクトに対応する吹出口の合計数を加算した合計数に応じて、前記能力割合テーブルに基づいて前記能力可変型圧縮機の能力を決定し運転することを特徴とする空気調和機。
【請求項４】
請求項３に記載の空気調和機において、
前記能力割合テーブルには、前記開いているダンパに対応する吹出口の合計数に前記ダンパを有しないダクトに対応する吹出口の合計数を加算した合計数又は前記ダンパを有しないダクトに対応する吹出口の合計数が所定数以下の場合に、前記能力可変型圧縮機の能力が最低能力として設定されていることを特徴とする空気調和機。
【請求項５】
請求項１、２、３又は４に記載の空気調和機において、
前記ダンパの１個当たりの前記吹出口の数は、１又は２以上として前記能力割合テーブルに設定されていることを特徴とする空気調和機。
【発明の詳細な説明】
【技術分野】
【０００１】
本発明は、室外機と共働する室内機によって生成された空調用空気をダクトによって複数の部屋（被空調室）に分配供給するダクト型の空気調和機に関する。
【背景技術】
【０００２】
従来から、室外機の圧縮機と室外熱交換器および室内機の室内熱交換器を冷媒用配管で接続して冷凍サイクルを構成し、室内熱交換器で熱交換された空調用空気を、送風ファンによりダクトを介して複数の部屋に供給するダクト型の空気調和機が提案されている（例えば、特許文献１参照）。
【０００３】
この空気調和機は、室内機の送風ファン付近の送風温度と室内機設定温度との差分を空調負荷として検出し、その空調負荷に応じて圧縮機の回転数を制御して、送風温度が室内機設定温度になるようにするとともに、各部屋の温度をそれぞれ温度センサで検出し、その検出温度と当該部屋の設定温度との差分によってその部屋がどのゾーン（検出温度と設定温度との隔たり具合）にあるかのゾーン判定を行い、このゾーン判定の結果に応じて当該部屋用のダクト内のダンパの開閉角度を制御し、個々の部屋の温度が個々の部屋で設定された温度になるようにしている。
【先行技術文献】
【特許文献】
【０００４】
【特許文献１】特開平６−５０５９８号公報
【発明の概要】
【発明が解決しようとする課題】
【０００５】
ところが、上記した空気調和機は、空調負荷に応じて圧縮機の回転を制御しているので、その制御が複雑であり、また、個々の部屋の温度制御のために個々の部屋用のダンパの開閉角度を制御しているので、この面でも制御が複雑になり、部品点数の増加やメモリ増加を余儀なくされ、コストアップを招いていた。
【０００６】
本発明の目的は、空調用空気を実際に供給している部屋の吹出口の合計数に応じて圧縮機の能力を制御するようにして、制御を簡単にし、コストダウンを図ったダクト型の空気調和機を提供することである。
【課題を解決するための手段】
【０００７】
上記目的を達成するために、請求項１にかかる発明は、能力可変型圧縮機と、該能力可変型圧縮機を備えた室外機と、該室外機に接続された室内機と、該室内機と複数の被空調室に設けた吹出口との間に接続された複数のダクトと、コントローラとを備え、前記ダクトに前記ダクトの通路を開閉するダンパが設けられ、前記コントローラにより前記能力可変型圧縮機、前記室内機、前記ダクトが制御されるようにした空気調和機において、前記能力可変型圧縮機の能力について、全ての前記被空調室の前記吹出口の合計数に対応した能力を最大能力として、開いているダンパに対応する吹出口の合計数に対応する能力を設定した能力割合テーブルが前記コントローラに格納され、前記能力可変型圧縮機を運転する際に、前記開いているダンパに対応する吹出口の合計数に応じて、前記能力割合テーブルに基づいて前記能力可変型圧縮機の能力を決定し運転することを特徴とする。
請求項２にかかる発明は、請求項１に記載の空気調和機において、前記能力割合テーブルには、前記開いているダンパに対応する吹出口の合計数が所定数以下の場合に、前記能力可変型圧縮機の能力が最低能力として設定されていることを特徴とする。
請求項３にかかる発明は、能力可変型圧縮機と、該能力可変型圧縮機を備えた室外機と、該室外機に接続された室内機と、該室内機と複数の被空調室に設けた吹出口との間に接続された複数のダクトと、コントローラとを備え、前記ダクトは、前記複数の被空調室のうちの所定数の被空調室に対応し且つ通路を開閉するダンパを備えたダクトと前記複数の被空調室のうちの残りの被空調室に対応し且つ前記ダンパを備えていないダクトからなり、前記コントローラにより前記能力可変型圧縮機、前記室内機、前記ダクトが制御されるようにした空気調和機において、前記能力可変型圧縮機の能力について、全ての前記被空調室の前記吹出口の合計数に対応した能力を最大能力として、開いているダンパに対応する吹出口の各々の合計数に、前記ダンパを有しないダクトに対応する吹出口の合計数を加算した合計数に対応する能力を設定した能力割合テーブルが前記コントローラに格納され、前記能力可変型圧縮機を運転する際、前記開いているダンパに対応する吹出口の合計数に前記ダンパを有しないダクトに対応する吹出口の合計数を加算した合計数に応じて、前記能力割合テーブルに基づいて前記能力可変型圧縮機の能力を決定し運転することを特徴とする。
請求項４にかかる発明は、請求項３に記載の空気調和機において、前記能力割合テーブルには、前記開いているダンパに対応する吹出口の合計数に前記ダンパを有しないダクトに対応する吹出口の合計数を加算した合計数又は前記ダンパを有しないダクトに対応する吹出口の合計数が所定数以下の場合に、前記能力可変型圧縮機の能力が最低能力として設定されていることを特徴とする。
請求項５にかかる発明は、請求項１、２、３又は４に記載の空気調和機において、前記ダンパの１個当たりの前記吹出口の数は、１又は２以上として前記能力割合テーブルに設定されていることを特徴とする。
【発明の効果】
【０００８】
本発明によれば、ダンパが開いている吹出口の合計数に応じて、あるいはその合計数にダンパを有しない全てのダクトに対応する吹出口の合計数を加算した合計数に応じて、室外機の能力可変型圧縮機の能力が切り替えられるので、空調負荷制御やダンパの開閉角度制御に比べて簡単な制御となるため、制御に関する部品点合計数やメモリ等を削減することができ、コストダウンを図ることができる。
【図面の簡単な説明】
【０００９】
【図１】（ａ）は本発明の第１の実施例を適用するダクト型の空気調和機の構成図、（ｂ）は本発明の第２の実施例を適用するダクト型の空気調和機の構成図である。
【図２】（ａ）はコントローラの初期設定の手順のフローチャート、（ｂ）は空調運転時の圧縮機能力の制御のフローチャートである。
【図３】（ａ）は本発明の第１の実施例のダンパテーブル（１）の説明図、（ｂ）は本発明の第２の実施例ののダンパテーブル（２）の説明図である。
【図４】（ａ）は本発明の第１の実施例の能力割合テーブルの説明図、（ｂ）は本発明の第２の実施例の能力割合テーブルの説明図である。
【図５】本発明の実施例の第１、第２の実施例の制御特性図である。
【発明を実施するための形態】
【００１０】
＜第１の実施例＞
図１（ａ）に本発明の第１の実施例を適用するダクト型の空気調和機の構成を示す。１は室内機であり、室内熱交換器と送風ファンとコントローラ１ａその他（図示せず）を備え、インバータ圧縮機あるいはオン／オフ圧縮機等の能力可変型圧縮機２ａを備えた室外機２と冷媒用配管３によって接続され、吸込口４から吸引した空気を冷媒と熱交換させて空調用空気（冷気又は暖気）を生成して、フレキシブルダクト５に供給する。このフレキシブルダクト５は、分配器６によって複数に枝分かれした後に各部屋７Ａ〜７Ｅ（被空調室）の吹出口８に接続されている。そして、フレキシブルダクト５には、各部屋７Ａ〜７Ｅに対応して、その上流側ダクトの途中にそのダクトの通路を開閉するダンパ９Ａ〜９Ｅが設けられている。
【００１１】
部屋７Ａの４個の吹出口８はダンパ９Ａによって、部屋７Ｂの２個の吹出口８はダンパ９Ｂによって、部屋７Ｃの１個の吹出口８はダンパ９Ｃによって、部屋７Ｄの１個の吹出口８はダンパ９Ｃによって、部屋７Ｅの１個の吹出口８はダンパ９Ｅによって、それぞれ空調用空気の供給がオン／オフされる。
【００１２】
図２（ａ）に各ダンパ９Ａ〜９Ｅの開閉制御を行うコントローラ２ａの初期設定の手順のフローチャートを示す。このフローチャートで表されるプログラムは、コントローラ１ａ内のコンピュータのメモリに格納され、そのコンピュータによって実行される。
【００１３】
図示しない入力部を操作することにより、初期設定として、まずダンパが無い吹出口の合計数を設定する（Ｓ１１）。図１（ａ）の構成では、ダンパが無い吹出口は無いため０を設定する。次にダンパの合計数を設定する（Ｓ１２）。図１（ａ）の構成では、ダンパは符号９Ａ〜７Ｅの５個であり、部屋７Ａ〜７Ｅの数と同じである。次に、ダンパ毎の吹出口の数を設定するダンパテーブルを作成する（Ｓ１３）。図１（ａ）の構成では、ダンパ９Ａは吹出口８が４個、ダンパ９Ｂは２個、ダンパ９Ｃ〜７Ｅはそれぞれ１個であるので、図３（ａ）に示すダンパテーブル（１）が作成され、コントローラ１ａのメモリに格納される。次に、吹出口８の合計数を設定する（Ｓ１４）。図１（ａ）の構成では９個である。次に、室外機の能力可変圧縮機の最低能力を設定する（Ｓ１５）。ここでは最低能力は５０％とする。次に、能力可変圧縮機の最低能力に対応する吹出口の数を設定する（Ｓ１６）。ここでは最低能力５０％に対応する吹出口の数として、５以下とする。最後に、吹出口の各々の合計数に対応した能力可変圧縮機の各能力についての能力割合テーブルを作成する（Ｓ１７）。この能力割合テーブルは、最大能力が１００％、最低能力が５０％として、図４（ａ）のように作成され、コントローラ１ａのメモリに格納される。
【００１４】
図２（ｂ）に空調運転の制御のフローチャートを示す。このフローチャートで表されるプログラムは、コントローラ１ａ内のコンピュータのメモリに格納され、そのコンピュータによって実行される。
【００１５】
起動のために能力可変圧縮機の能力を制御し（Ｓ２１）、空調が必要とされた部屋用のダンパをコントローラ１ａによって開く（Ｓ２２）。そして、開いているダンパをコントローラ１ａで確認して（Ｓ２３）から、図３（ａ）に示すダンパテーブル（１）を参照して、開いているダンパに対応する吹出口の数を確認して、その数を合計する（Ｓ２４）。例えば、ダンパ９Ａと９Ｃが開いているときは、吹出口の合計数は５となる。次に、図４（ａ）の能力割合テーブル（１）を参照して、圧縮機の能力を決定してその圧縮機を運転する。吹出口の合計が５の場合は、圧縮機の能力は最低能力である５０％となる。以後、コントローラ１ａによってダンパを開閉したとき（Ｓ２６−Ｙ）は、開いている吹出口の合計数に変化があれば（Ｓ２７−Ｙ）、再度、図４（ａ）の能力割合テーブル（１）を参照して、圧縮機の能力を再設定する。例えば、吹出口の数が上記の５個から８個に増大しているときは、圧縮機の能力は８０％に切り替えられる。
【００１６】
図５に、ダンパが１つ開放したとき（このときの吹出口８の合計数は１個又は２個又は４個）と全部開放したとき（このときの吹出口８の合計数は９個）の室外機の能力の時間変化を示した。このように、開放しているダンパの数に応じて圧縮機の能力を制御することにより、無駄あるいは過剰な空調運転を回避することができる。また、圧縮機の能力切替は、ダンパの開閉に応じて行えば済み、制御に関する部品点数やメモリ等を削減でき、コストダウンを図ることができる。
【００１７】
＜第２の実施例＞
図１（ｂ）に本発明の第２の実施例を適用するダクト型の空気調和機の構成を示す。前記した第１の実施例との違いは、部屋７Ａの吹出口８を４個から２個に削減し、さらに、それぞれ１個の吹出口８を有する部屋７Ｆ，７Ｇを新たに追加し、その部屋７Ｆ，７Ｇの吹出口８に接続されるダクト５には、ダンパを設けないようにした点である。したがって、部屋７Ｆ，７Ｇの吹出口８からは、空気調和機が運転している際には、常時、空調用空気が吹き出されることになる。
【００１８】
本実施例では、図２（ａ）に示したフローチャートに基づくプログラムよって、第１の実施例の場合と同様に、図３（ｂ）に示すダンパテーブル（２）と、図４（ｂ）に示す能力割合テーブル（２）が、それぞれ作成される。能力割合テーブル（２）では、吹出口８の合計数の最低値は、常時吹き出している部屋７Ｆ，７Ｇの吹出口の合計値である２となる。そして、図２（ｂ）に示したフローチャートに基づくプログラムによって空調運転が行われる。
【００１９】
なお、能力割合テーブル（２）の最低能力（上記例では５０％）は、ダンパを持たないダクトで空調用空気が供給される場合のみとしてもよく、この場合は前記例では吹出口の合計数が２の場合となる。
【符号の説明】
【００２０】
１：室内機、１ａ：コントローラ
２：室外機、２ａ：能力可変型圧縮機
３：冷媒用配管
４：吸込口
４：フレキシブルダクト
６：分配器
７Ａ〜７Ｇ：部屋（被空調室）
８：吹出口
９Ａ〜９Ｅ：ダンパ
【図１】
2013200089.tif 000003
【図２】
2013200089.tif 000004
【図３】
2013200089.tif 000005
【図４】
2013200089.tif 000006
【図５】
2013200089.tif 000007